(57)【要約】【課題】人名を構成する複数のアルファベット文字が粗密バランスを欠くことなく印面に配置された印鑑を提供する。【解決手段】印鑑１０の印面１２の上段には名を示す第一のアルファベット文字列を鏡文字で配列し、印面１２の上段には姓を示す第二のアルファベット文字列を鏡文字で配列する。第一のアルファベット文字列を構成する複数のアルファベット文字および第二のアルファベット文字列を構成する複数のアルファベット文字は、印面１２の横方向に配列することを基調としながら一部のアルファベット文字は縦方向に配列する。【選択図】図１
0003171498.tif 000002
【実用新案登録請求の範囲】
【請求項１】
アルファベット文字で表記された人名を転写するアルファベット文字転写装置であって、
前記転写面の上段には名を示す第一のアルファベット文字列が鏡文字で配列され、前記転写面の下段には姓を示す第二のアルファベット文字列が鏡文字で配列されていることを特徴とする、アルファベット文字転写装置。
【請求項２】
前記第一のアルファベット文字列を構成する複数のアルファベット文字および前記第二のアルファベット文字列を構成する複数のアルファベット文字は、前記転写面の横方向に配列されることを基調としながら一部のアルファベット文字が縦方向に配列されることを特徴とする、請求項１に記載のアルファベット文字転写装置。
【請求項３】
人名にミドルネームを含む場合に、前記ミドルネームのイニシャル文字の鏡文字が、前記第一のアルファベット文字列の左側、もしくは前記第二のアルファベット文字列の右側に配列されることを特徴とする、請求項１または２に記載のアルファベット文字転写装置。
【請求項４】
アルファベット文字で表記された人名を転写するアルファベット文字転写装置であって、
前記転写面の上段には姓を示す第一のアルファベット文字列が鏡文字で配列され、前記転写面の下段には名を示す第二のアルファベット文字列が鏡文字で配列されていることを特徴とするアルファベット文字転写装置。
【請求項５】
前記第一のアルファベット文字列を構成する複数のアルファベット文字および前記第二のアルファベット文字列を構成する複数のアルファベット文字は、前記転写面の横方向に配列されることを基調としながら一部のアルファベット文字が縦方向に配列されることを特徴とする、請求項４に記載のアルファベット文字転写装置。
【請求項６】
人名にミドルネームを含む場合に、前記ミドルネームのイニシャル文字の鏡文字が、前記第一のアルファベット文字列の右側、もしくは前記第二のアルファベット文字列の左側に配列されることを特徴とする、請求項４または５に記載のアルファベット文字転写装置。
【請求項７】
前記転写面に配列された複数のアルファベット文字のうち一部もしくは全てのアルファベット文字がアルファベット文字を構成する一部の線を共用させることを特徴とする、請求項１乃至６も何れかに記載のアルファベット文字転写装置。
【考案の詳細な説明】
【技術分野】
【０００１】
本考案は、アルファベット文字で表記された人名を転写する装置に関する。
【背景技術】
【０００２】
我が国では、公的機関への書面提出や契約締結の際などに、本人の意思を確認するものとして捺印を求められることが一般的である。捺印は、実印や銀行印、認印などの印鑑の印面に朱肉を付着させ、これを書面の所定の箇所に転写することによって行われる。個人の印鑑の場合、印面には姓（氏）もしくは氏名が左右を反転させた鏡文字により刻印されている。
【０００３】
このような個人名を表した印鑑は我が国以外の外国では必ずしも多用されてはおらず、特に欧米等のアルファベット圏ではサインによる意思確認が一般的であり、印鑑はほとんど使用されていない。従って、欧米人の氏名を刻印した印鑑はほとんど市販されておらず、市販されていたとしても、アルファベットの発音の似た漢字に置き換えたり、原語の意味と同じ意味を持つ漢字に置き換えたりというような多分に遊びの要素が強いものであったり、アルファベット文字で表記されたものであっても風格に欠けるものであった（特許文献１参照）。
【先行技術文献】
【特許文献】
【０００４】
【特許文献１】実用新案登録第３１３８２４７号公報
【考案の概要】
【考案が解決しようとする課題】
【０００５】
一般にアルファベット文字で表記された人名は漢字表記の場合に比べて文字数が多い。そのため特許文献１に記載されたような方法で全てのアルファベット文字を印面に収めるのは困難であり、また無理に収めようとすると文字配置の粗密バランスが崩れ、審美性や重厚感が阻害されるという問題がある。
【０００６】
本考案は、人名を構成する複数のアルファベット文字が粗密バランスを欠くことなく転写面に配置されたアルファベット文字転写装置を提供することを目的としている。
【課題を解決するための手段】
【０００７】
本考案は、前記課題を解決するために、アルファベット文字で表記された人名を転写するアルファベット文字転写装置であって、前記転写面の上段には名を示す第一のアルファベット文字列が鏡文字で配列され、前記転写面の下段には姓を示す第二のアルファベット文字列が鏡文字で配列されていることを特徴とする、アルファベット文字転写装置を提供する。
【０００８】
転写面を上下二段に区画し、上段に名を示すアルファベット文字列を配し、下段に姓を示すアルファベット文字列を配することにより、人名を構成する複数のアルファベット文字を転写面にバランスよく配置することができるようになる。
【０００９】
転写は、転写面に付着させたインクや朱肉を転写対象物に再付着させる方法によるもの（スタンプや印鑑など）のほか、転写面に滲み出させたインクや朱肉を転写対象物に付着させる方法によるもの（スタンプ型印鑑や浸透印など）、または転写面を転写対象物に押し当てて凹凸を形成する方法によるもの（エンボスや型押しなど）、さらには加熱した転写面を転写対象物に押し当てて焦げ目を形成する方法によるもの（焼きごてなど）などがある。これらの方法以外であっても、およそ転写面を転写対象物に接触させることにより転写対象物に鏡文字が反転した正常文字を表記させるものであればどのような方法であってもよい。
【００１０】
前記第一のアルファベット文字列を構成する複数のアルファベット文字および前記第二のアルファベット文字列を構成する複数のアルファベット文字は、前記転写面の横方向に配列されることを基調としながら一部のアルファベット文字が縦方向に配列されるように構成することができる。
【００１１】
アルファベット文字には様々な形状があるため、人名によってはアルファベット文字を横方向だけではなく縦方向にも配列することにより、限られた転写面のスペースを有効利用することができるとともにアルファベット文字列の粗密バランスが向上する。
【００１２】
人名にミドルネームを含む場合に、前記ミドルネームのイニシャル文字の鏡文字が、前記第一のアルファベット文字列の左側、もしくは前記第二のアルファベット文字列の右側に彫刻されるように構成することができる。
【００１３】
ミドルネームは姓と名の間にあるため、姓および名の文字数等を考慮して、転写面の上段の最後尾もしくは下段の最前列の何れかに配置することにより、転写面の文字バランスを崩すことなくミドルネームを加えることができる。
【００１４】
アルファベット表記された人名を日本の氏名表記法と同じく姓名の順に表記することもありうるため、本考案は、転写面の上段には姓を示す第一のアルファベット文字列が鏡文字で彫刻され、転写面の下段には名を示す第二のアルファベット文字列が鏡文字で彫刻されているように構成することもできる。
【００１５】
人名にミドルネームを含む場合は、前記ミドルネームのイニシャル文字の鏡文字が、前記第一のアルファベット文字列の右側、もしくは前記第二のアルファベット文字列の左側に彫刻されるように構成することができる。
【考案の効果】
【００１６】
アルファベット文字で表記された人名を転写面に粗密バランスよく配列することができるようになるため、転写された人名は均整のとれた美しいアルファベット文字列で表現される。
【図面の簡単な説明】
【００１７】
【図１】第一の実施形態の印鑑を印面方向からみた斜視図
【図２】第一の実施形態の印鑑による印影図
【図３】第二の実施形態の印鑑を印面方向からみた斜視図
【図４】第二の実施形態の印鑑による印影図
【図５】第三の実施形態の印鑑を印面方向からみた斜視図
【図６】第三の実施形態の印鑑による印影図
【図７】第四の実施形態の印鑑を印面方向からみた斜視図
【図８】第四の実施形態の印鑑による印影図
【考案を実施するための形態】
【００１８】
本考案を実施するための形態について、添付された図面を参照しながら説明する。図１において、印鑑１０は本考案のアルファベット文字転写装置の一形態であり、円柱状の印鑑本体の底面に真円形をなす印面１２を備えている。印鑑１０の製作に用いる印材には、象牙や水牛角などの動物由来のものや、柘や黒檀などの植物由来のものが好適であるが、そのほかにも合成樹脂や合成樹脂と木材をハイブリッドしたもの（例えば彩樺など）、琥珀や瑪瑙などの石材、チタンや金などの金属を用いてもよい。
【００１９】
印面１２にはアルファベット表記された人名「Ｇｅｏｒｇｅ  Ｗａｓｈｉｎｇｔｏｎ」のアルファベット文字が左右反転させた鏡文字で彫刻されている。図２に示す印影は、印鑑１０を書類などの転写対象物に捺印したときに表示される印影である。印面１２は略中央で上下二段に区画されており、その上段には、人名「Ｇｅｏｒｇｅ  Ｗａｓｈｉｎｇｔｏｎ」のうち名を示すアルファベット文字列「Ｇｅｏｒｇｅ」が彫刻されている。同じく下段には、人名「Ｇｅｏｒｇｅ  Ｗａｓｈｉｎｇｔｏｎ」のうち姓を示すアルファベット文字列「Ｗａｓｈｉｎｇｔｏｎ」が彫刻されている。
【００２０】
アルファベット文字列「Ｇｅｏｒｇｅ」を構成する６個のアルファベット文字「Ｇ」、「ｅ」、「ｏ」、「ｒ」、「ｇ」、「ｅ」は、基本的には印面１２の上段に右から左に向けて順に配列されている。このうちアルファベット文字「ｅ」、「ｏ」については右から左に向けて配列されているとともに上から下に向けて縦方向に配列されている。そしてアルファベット文字「ｅ」の後に続くアルファベット文字「ｒ」は、アルファベット文字「ｅ」の略真上に配置されている。
【００２１】
アルファベット文字列「Ｗａｓｈｉｎｇｔｏｎ」を構成する１０個のアルファベット文字「Ｗ」、「ａ」、「ｓ」、「ｈ」、「ｉ」、「ｎ」、「ｇ」、「ｔ」、「ｏ」、「ｎ」の配列についても上段の配列と同様である。基本的には印面１２の下段に右から左に向けて順に配列されており、一部のアルファベット文字「ａ」、「ｓ」、「ｈ」、「ｉ」、「ｎ」、「ｇ」、「ｏ」、「ｎ」については上から下もしくは下から上の何れかの向きに配列されている。
【００２２】
このように印面１２の上段および下段のそれぞれの段において、アルファベット文字列「Ｇｅｏｒｇｅ」を構成する６個のアルファベット文字「Ｇ」、「ｅ」、「ｏ」、「ｒ」、「ｇ」、「ｅ」、およびアルファベット文字列「Ｗａｓｈｉｎｇｔｏｎ」を構成する１０個のアルファベット文字「Ｗ」、「ａ」、「ｓ」、「ｈ」、「ｉ」、「ｎ」、「ｇ」、「ｔ」、「ｏ」、「ｎ」を横方向に配列することを基調としながら、その一部のアルファベット文字については縦方向に配列することにより、印面１２の正円形の領域内に１６個のアルファベット文字を粗密バランスよく配列することができる。
【００２３】
また、上段のアルファベット文字「ｇ」と「ｅ」、下段のアルファベット文字「ａ」と「ｈ」、「ｉ」と「ｎ」は、アルファベット文字を構成する一部の線を共用させることにより、一つの文字のように組み合わせた組み合わせ文字となっている。このような組み合わせ文字を採用することにより、印面１２の限られた領域のなかに多数のアルファベット文字を粗密バランスよく配列することができる。組み合わせ文字は一見すると見慣れない不思議な模様のようにも見えるため、見る者に神秘的な印象を与えることができる。
【００２４】
なお、印面１２の上段および下段の境界は厳密なものではなく、例えば粗密バランスをよりよくするため、または審美性を高めるために、上段または下段のアルファベット文字の一部が他の段にはみ出すことはあり得ることである。印鑑１０においては、下段のアルファベット文字「Ｗ」の一部の線が上段側にはみ出し、上段のアルファベット文字「ｇ」の一部の線が下段側にはみ出している。アルファベット文字「Ｗ」の一部の線が上段側にはみ出すことにより、上段のアルファベット文字「Ｇ」と「ｏ」の間の粗空間が程よく密になる。同じくアルファベット文字「ｇ」の一部の線が下段側にはみ出すことにより、下段のアルファベット文字「ｎ」の上の粗空間が程よく密になる。このように上段および下段の境界を厳密なものにせず、一部の線のはみ出しを許容することにより、印面１２全体の粗密バランスが向上するだけでなく、上段および下段のアルファベット文字列の相互関連性、一体感といったものが高まり、印鑑としての風格のようなものを演出することができる。
【００２５】
図３および図４は人名にミドルネームを含む場合の例を示している。印鑑２０の印面２２にはアルファベット表記された人名「Ｊｏｈａｎｎ  Ｓ  Ｂａｃｈ」のアルファベット文字が左右反転させた鏡文字で彫刻されている。名を示すアルファベット文字列「Ｊｏｈａｎｎ」と姓を示すアルファベット文字列「Ｂａｃｈ」の間のアルファベット文字「Ｓ」は、ミドルネーム「Ｓｅｂａｓｔｉａｎ」の頭文字である。ミドルネームが含まれる人名はアルファベット文字数が非常に多くなることがあるため、ミドルネームは頭文字のみが彫刻される。アルファベット文字列「Ｊｏｈａｎｎ」を構成するアルファベット文字は６個であるのに対し、アルファベット文字列「Ｂａｃｈ」を構成するアルファベット文字は４個であるため、印面２２の粗密バランスを考慮して、ミドルネームを示すアルファベット文字「Ｓ」は、下段に彫刻されたアルファベット文字列「Ｂａｃｈ」の右側に彫刻されている。この場合、アルファベット文字「Ｓ」が姓を示すアルファベット文字列「Ｂａｃｈ」とは別体であることを示すため、アルファベット文字「Ｓ」と「Ｂ」の間にピリオド「．」を入れるとよい。
【００２６】
印鑑２０は彫刻された人名こそ印鑑１０とは異なるが、アルファベット文字の配列方法においては印鑑１０の場合と全く同一である。具体的には、上段のアルファベット文字「ｈ」と「ａ」、下段のアルファベット文字「ａ」と「ｃ」はそれぞれ縦方向に配列されており、上段のアルファベット文字「ｈ」と下段のアルファベット文字「Ｂ」の一部はそれぞれ他の段にはみ出している。また上段のアルファベット文字「ａ」と「ｎ」は組み合わせ文字となっている。なお印鑑１０にはなかった特徴として、上段のアルファベット文字「ａ」と「ｎ」の組み合わせ文字にはさらに下段のアルファベット文字「ｈ」が組み合わされており、合計３個のアルファベット文字による組み合わせ文字となっている。
【００２７】
図５および図７は装飾性の高いフォントによるアルファベット文字列が彫刻された印鑑３０、４０を示している。印鑑３０の印面３２には、図１に示す印面１２と同じ人名「Ｇｅｏｒｇｅ  Ｗａｓｈｉｎｇｔｏｎ」のアルファベット文字列が印面１２と同一の配列で彫刻されている。また印鑑４０の印面４２には、人名「Ａｕｄｒｅｙ  Ｈｅｐｂｕｒｎ」のアルファベット文字列が鏡文字で彫刻されている。印面４２の上段には、人名「Ａｕｄｒｅｙ  Ｈｅｐｂｕｒｎ」のうち名を示すアルファベット文字列「Ａｕｄｒｅｙ」が彫刻されている。同じく下段には、人名「Ａｕｄｒｅｙ  Ｈｅｐｂｕｒｎ」のうち姓を示すアルファベット文字列「Ｈｅｐｂｕｒｎ」が彫刻されている。印面４２におけるアルファベット文字の配列は印面１２の場合と略同一である。
【００２８】
我が国では顔に人相があるように印鑑にも印相があると考えられており、特に吉相体（印相体）と呼ばれる書体で彫られた印鑑が縁起のよいものとされている。吉相体による印鑑は、本人の字画数や生年月日などに基づいて一品物として作製されるため、一つとして同じものはないと言われており、単なる道具ではなく自己の分身として扱うべきものとされている。しかしながら従来の欧米人向けの印鑑は、お土産用として安価な素材で作製されたものが一般的であり、また字体や文字配列にも工夫がなく、日本人の印鑑に対する思想が全く反映されていないものであった。このような印鑑には、我が国の文化について欧米人に誤った印象を与えかねないという問題があるだけではなく、印鑑を大事に思う多くの日本人にとって内心忸怩たる思いがあった。
【００２９】
本考案が提供する印鑑によれば、個人用の印鑑としては最も縁起が良いとされる正円の印面にアルファベット文字で表記された人名を粗密バランスよく配列することができる。またその配列にも前述したような様々な工夫がなされているため、審美性の高い風格ある印影を表現することが可能になっている。従って、本考案が提供する印鑑は、多くの日本人が持つ印鑑に対する思想が十分に反映されたものとして外国に出しても恥ずかしくないものになっており、多くの外国人に使用してもらうことにより、日本文化の正しい理解の一助になることが期待される。
【００３０】
本考案は、印鑑だけではなく、例えば焼きごてや型押しなど工業的な用途にも利用することが可能である。またアルファベット文字で表記する人名は外国人だけに限られるものではなく、日本人の名前をアルファベット表記する場合にも用いることができる。
【符号の説明】
【００３１】
１０、２０、３０、４０  印鑑
１２、２２、３２、４２  印面
【図１】
0003171498.tif 000003
【図２】
0003171498.tif 000004
【図３】
0003171498.tif 000005
【図４】
0003171498.tif 000006
【図５】
0003171498.tif 000007
【図６】
0003171498.tif 000008
【図７】
0003171498.tif 000009
【図８】
0003171498.tif 000010